(57)【要約】      （修正有）【課題】装置を用意する必要もなく簡単に必要な枚数の丈夫なカードを作成して、短時間で郵送処理を行えるようにしたカード付き封書用紙を提供する。【解決手段】折り部２で連接された２つの紙片を有する封書用紙３に、２つの紙片の一方の紙片３ａにスリット４で囲まれたカード部５が設けられ、他方の紙片３ｂには、折り部側を除く三周辺に沿った領域を分離可能に形成されたスリット６が設けられ、領域の裏面側に剥離剤層が設けられ、他方の紙片の裏面側には第３の紙片が重ね合わされ、該第３の紙片の表面側で、他方の紙片の裏面側に設けられた剥離剤層と重なり合う領域に粘着剤層が設けられ、２つの紙片に第３の紙片が重ね合わされた状態で、２つの紙片の四周辺に沿った部分の２つの紙片と第３の紙片とに切り取りミシン１０が形成され、他方の紙片と第３の紙片との間であって、切り取りミシンと折り部とで囲まれた領域に接着剤層が設けられ接着されている。【選択図】図１
2011143661.tif 000002
【特許請求の範囲】
【請求項１】
折り部を介して連接された第１の紙片と第２の紙片を有する封書用紙に、前記第１の紙片にスリットで囲まれたカード部が設けられたカード付き封書用紙であって、
前記第２の紙片には、前記折り部側を除く三周辺に沿った帯状の領域を分離可能にするスリットが設けられ、更に、前記領域の裏面側に剥離剤層が設けられ、
前記第２の紙片の裏面側には、該紙片と略同一サイズを有する第３の紙片が重ね合わされ、該第３の紙片の表面側であって、前記第２の紙片の裏面側に設けられた剥離剤層と重なり合う領域に粘着剤層が設けられ、
前記第１並びに第２の紙片に前記第３の紙片が重ね合わされた状態で、前記第１並びに第２の紙片の四周辺に沿った部分と前記第３の紙片とに切り取りミシンが形成され、
更に、前記第２の紙片と前記第３の紙片との間であって、前記切り取りミシンと前記折り部とで囲まれた領域に接着剤層が設けられ接着されていることを特徴とするカード付き封書用紙。
【請求項２】
前記第１の紙片の裏面側には、前記カード部のサイズよりも大きなサイズを有するラミネート用基材が接着され、前記ラミネート用基材の裏面側には、擬似接着剤層を介してラミネート用基材の支持体が剥離可能に接着され、前記ラミネート用基材にもカード部を囲むスリットと重なり合う位置にスリットが形成されていることを特徴とする請求項１記載のカード付き封書用紙。
【発明の詳細な説明】
【技術分野】
【０００１】
本発明は、折り部を介して連接された２つの紙片を有する封書用紙に、剥離可能に形成されたカード部が設けられたカード付き封書用紙に関する。
【背景技術】
【０００２】
従来、カードを封書で送る場合には、剥離可能な状態でカードを接着したカード台紙を封書に入れて郵送、または所定部分に切り込みや抜き部を形成したカード台紙を用意して、それらの切り込みや抜き部にカードの角部を差し込むことでカードを固定し、そのカード台紙を封書に入れて郵送するなどしていた。
【０００３】
また、従来からプラスチック製でない簡易なカードを発行、郵送する場合において、既にカード台紙の一部をカードとして構成する形態のものについては知れられている。（例えば、特許文献１〜３、参照）
しかしながら、従来のカード送付では、カード台紙の他に封書が必要であったり、封書を作成する際に所定部分に糊付けが必要であったり、またカードを郵送するための封書用紙に予め感圧性の接着剤や感熱性の接着剤を塗布させておいて、それらの接着剤で接着させる際に、感圧装置や感熱装置などが必要であった。
【０００４】
しかしながら、カード台紙の他に封書が必要である場合には、カード台紙と宛先が印字された封書とのマッチングミスの危険性があり、また封書を作成時に糊付けが必要な場合には手間がかかり、更に、感圧装置や感熱装置などが必要な場合には、コストもかかり、また必要に応じて1枚毎カードの発行を行う場合には適さないという問題がある。
発行されるカードの用途として、様々な用途があるが、例えば、企業が臨時に派遣社員、パート、アルバイトなどを雇用する際に、所定期間だけ勤務時に携帯させたい従業員カードを発行する場合に、短期間で少量のカードをその都度に必要な枚数だけ発行する必要がある。
【０００５】
この場合には、カード製造発行メーカーに製造発送を依頼するよりも、その雇用先の企業において、簡易にカードを発行、郵送できるようにした方が、効率面やコスト面でも好ましいこともあるが、従来、簡易にカードを作成し、発行、郵送できるようなカード付き封書用紙がないという問題がある。
【先行技術文献】
【特許文献】
【０００６】
【特許文献１】特開平９−２９５４７６号公報
【特許文献２】特開平１１−１６１１７９号公報
【特許文献３】特開２００３−２６０８８７号公報
【発明の概要】
【発明が解決しようとする課題】
【０００７】
そこで、本発明は、カード台紙と封書とのマッチングミスの危険性もなく、また糊付け作業や感圧装置や感熱装置などの装置を用意する必要もなく、カードを発行する企業側で簡単に必要な枚数の丈夫なカードを作成して、短時間で郵送処理を行えるようにしたカード付き封書用紙を提供する。
【課題を解決するための手段】
【０００８】
本発明のカード付き封書用紙は、折り部を介して連接された第１の紙片と第２の紙片を有する封書用紙に、前記第１の紙片にスリットで囲まれたカード部が設けられたカード付き封書用紙であって、前記第２の紙片には、前記折り部側を除く三周辺に沿った帯状の領域を分離可能にするスリットが設けられ、更に、前記領域の裏面側に剥離剤層が設けられ、前記第２の紙片の裏面側には、該紙片と略同一サイズを有する第３の紙片が重ね合わされ、該第３の紙片の表面側であって、前記第２の紙片の裏面側に設けられた剥離剤層と重なり合う領域に粘着剤層が設けられ、前記第１並びに第２の紙片に前記第３の紙片が重ね合わされた状態で、前記第１並びに第２の紙片の四周辺に沿った部分と前記第３の紙片とに切り取りミシンが形成され、更に、前記第２の紙片と前記第３の紙片との間であって、前記切り取りミシンと前記折り部とで囲まれた領域に接着剤層が設けられ接着されていることを特徴とする。
【０００９】
また、本発明のカード付き封書用紙は、前記第１の紙片の裏面側には、前記カード部のサイズよりも大きなサイズを有するラミネート用基材が接着され、前記ラミネート用基材の裏面側には、擬似接着剤層を介してラミネート用基材の支持体が剥離可能に接着され、前記ラミネート用基材にもカード部を囲むスリットと重なり合う位置にスリットが形成されていることを特徴とする。
【発明の効果】
【００１０】
したがって、本発明のカード付き封書用紙は、同じ封書用紙に宛先情報とカード使用者情報とをプリンタで印字することで、カード台紙と封書とのマッチングミスの危険性もなく、また、郵送の際にも、紙片の三周辺のスリットが形成された部分から外側の部分を剥離させて、封書用紙を２つ折りし、予め設けられている粘着剤層により簡単に封書を作成できるので、カードを発行する企業側で必要に応じて簡単に必要な枚数のカードを作成し、短時間で郵送処理が行えるという効果がある。
【００１１】
また、本発明のカード付き封書用紙は、スリットで囲まれたカード部をめくり上げた場合に、紙片の裏面側に接着されたラミネート用基材がカードとして一体化された状態で分離できるので、使用時に簡単に破損しない丈夫なカードを発行することができるという効果がある。
【図面の簡単な説明】
【００１２】
【図１】本発明の実施形態に係るカード付き封書用紙の表面側の平面図である。
【図２】本発明の実施形態に係るカード付き封書用紙の裏面側の平面図である。
【図３】図１のＡ−Ａ線断面図である。
【図４】本発明の実施形態に係るカード付き封書用紙であって、封書用紙から第３の紙片とラミネート用基材とを分離させた状態を示す平面図である。
【図５】本発明の実施形態に係るカード付き封書用紙であって、封書用紙から折り部側を除く三周辺に沿って形成されたスリットから外側部分を剥離させた状態を示す平面図である。
【図６】本発明の実施形態に係るカード付き封書用紙であって、封書用紙を２つ折りさせて封書を作成した状態を示す斜視図である。
【図７】図６のＢ−Ｂ線断面図である。
【図８】本発明の実施形態に係るカード付き封書用紙であって、郵送されたカード付き封書用紙からカード部を剥離させた状態を示す平面図である。
【図９】本発明の実施形態に係るカード付き封書用紙であって、郵送されたカード付き封書用紙からカード部を剥離させた状態を示す断面図である。
【発明を実施するための形態】
【００１３】
以下、本発明の実施形態に係るカード付き封書用紙を図面に基づいて詳細に説明する。
図１乃至図４に示すように、本発明の実施形態に係るカード付き封書用紙１は、折り部２を介して連接された略同一サイズからなる第１の紙片３ａと第２の紙片３ｂを有する封書用紙３を有する。
そして、前記第１の紙片３ａと第２の紙片３ｂのうち第１の紙片３ａ、つまり図１において右側に位置する紙片３ａには、略矩形状に形成されたスリット４で囲まれたカード部５が設けられている。
また、封書用紙３の折り部２には、折り畳みやすくするために、折り用のミシン目などを形成しておくことが好ましい。
また、第２の紙片３ｂつまり図１において左側に位置している紙片には、前記折り部２側を除く三周辺に沿った所定幅の帯状の領域を分離可能に形成されたスリット６が設けられており、そのスリット６で囲まれた領域の裏面側には、剥離剤層７が設けられている。
【００１４】
左側に位置している第２の紙片３ｂの裏面側には、該第２の紙片３ｂと略同一サイズを有する第３の紙片８が重ね合わされている。
その第３の紙片８の表面側であって、左側に位置している第２の紙片３ｂの裏面側に設けられた剥離剤層７と重なり合う領域には、粘着剤層９が設けられている。
また、前記第１並びに第２の紙片３ａ，３ｂに第３の紙片８が重ね合わされた状態で、前記第１並びに第２の紙片３ａ，３ｂの四周辺に沿った部分であって、前記第１並びに第２の紙片３ａ，３ｂに切り取りミシン１０が形成されている。
切り取りミシン１０が形成された部分と重なり合う第３の紙片８の部分にも切り取りミシン１１が形成されている。
第２の紙片３ｂと第３の紙片８との間であって、切り取りミシン１０，１１と折り部２とで囲まれた領域には、接着剤層１２が設けられ他方の紙片３ａと第３の紙片８とが接着されている。
【００１５】
また、右側に位置している第１の紙片３ａの裏面側には、カード部５のサイズよりも大きなサイズを有するラミネート用基材１３が接着剤層１４により接着されており、更にラミネート用基材１３の裏面側には、擬似接着剤層１５を介してラミネート用基材１３の支持体１６が剥離可能に接着されている。
そして、ラミネート用基材１３にもカード部５を囲むスリット４と重なり合う位置にスリット１７が形成されている。
上記の構成により、カード部５は、スリット４，１７で囲まれた部分をめくり上げることで、第１の紙片３ａとラミネート用基材１３とが接着された状態で擬似接着剤層１５の部分から分離できるようになっている。
【００１６】
封書用紙３や第３の紙片８の材料としては、上基材：上質紙、コート紙、合成紙等を用いることができる。
また、接着剤層１２，１４としては、封書用紙３と第３の紙片８やラミネート基材を接着することができればどのような接着剤を用いてもよいが、例えば、アクリル系樹脂、酢酸ビニル系樹脂、ＥＶＡ系樹脂、ウレタン系樹脂などのエマルジョン接着剤や水系粘着剤、溶剤系粘着剤、ホットメルト粘着剤など適宜選択し、使用することができる。
【００１７】
剥離剤層７としては、シリコーンを主剤としたインキであり、対応する粘着剤層から剥離可能な材料を適宜使用することがきる。
また、粘着剤層９としては、水系粘着剤、溶剤系粘着剤、ホットメルト粘着剤などを適宜選択することができ、剥離剤層７から剥離可能であり、剥離後、封書用紙３の基材に接着可能であることができる必要がある。
ラミネート用基材１３と、擬似接着層１５と、ラミネート用基材の支持体１６とは、不完全な溶着等により形成した擬似接着層を介して剥離可能にポリエチレン、ポリエステル等の２枚の合成樹脂製フィルムが貼り合わされて構成されている。
【００１８】
また、封書用紙３や第３の紙片８の表面には、印刷インキ、プリンタインキやトナーなどで構成される印刷層又は印字層１８を用途にあわせて設けることができる。
その印刷層や印字層としては、油性インキ、ＵＶ硬化型インキやトナーにより構成されている。
【００１９】
次に、本発明のカード付き封書用紙１の使用方法について説明する。
カード付き封書用紙１を用いてカードの送付を行う利用者は、プリンタなどにより封書用紙３や第３の紙片８の表面に所望の情報を印字する。
特に、封書用紙３を折り部２から２つ折りした際に、外側に位置する面にカードを使用する者を特定する情報や宛先などの情報を印字する。
この印字の際に、カード部５の表面にもカード使用者の個人情報なども印字する。
そして、図５に示すように、左側に位置している第２の紙片３ｂの三周辺に沿って、所定幅で帯状の領域を分離可能に形成されたスリット６から外側の部分を剥離させる。
第２の紙片３ｂのこの部分を剥離することで、第３の紙片８の上面側に設けられた粘着剤層９が表出される。
【００２０】
次に、図６に示すように、封書用紙３を折り部２からカード部５が内側にくるように２つに折り畳み、粘着剤層９により第１の紙片３ａと第２の紙片３ｂをその三周縁部で接着させる。
このように接着させた状態の断面は、図７に示すようになる。
そして、２つ折りした状態のカード付き封書用紙１を郵送するなどして、カードの使用者に送る。
その２つ折りした状態のカード付き封書用紙１を受け取ったカード使用者は、図８及び図９に示すように、カード部５であるスリット４，１７で囲まれた部分をめくり上げて、紙片３ｂとラミネート用基材１３とが接着された状態のカード部５を、擬似接着剤層１５の部分から分離することでカード部５をカードとして使用できる。
【００２１】
上記のように、本発明のカード付き封書用紙は、同じ封書用紙に宛先情報とカード使用者情報とをプリンタで印字することで、カード台紙と封書とのマッチングミスを防止できるように構成されているだけでなく、郵送の際にも、紙片の三周辺のスリットが形成された部分から外側の部分を剥離させて、封書用紙を２つ折りし、予め設けられている粘着剤層により簡単に封書を作成できる。
したがって、カードを発行する企業側で必要に応じて簡単に必要な枚数のカードを作成し、短時間で郵送処理が行えるという効果がある。
【００２２】
また、スリットで囲まれたカード部をめくり上げた場合に、紙片の裏面側に接着されたラミネート用基材がカードとして一体化された状態で分離できるので、使用時に簡単に破損しない丈夫なカードを発行することができるものである。
【符号の説明】
【００２３】
１  カード付き封書用紙
２  折り部
３  封書用紙
３ａ  第１の紙片
３ｂ  第２の紙片
４，６，１７  スリット
７  剥離剤層
８  第３の紙片
９  粘着剤層
１０，１１  切り取りミシン
１２，１４  接着剤層
１３  ラミネート用基材
１５  擬似接着剤層
１６  ラミネート用基材の支持体
１８  印刷層又は印字層
【図１】
2011143661.tif 000003
【図２】
2011143661.tif 000004
【図３】
2011143661.tif 000005
【図４】
2011143661.tif 000006
【図５】
2011143661.tif 000007
【図６】
2011143661.tif 000008
【図７】
2011143661.tif 000009
【図８】
2011143661.tif 000010
【図９】
2011143661.tif 000011